(57)【特許請求の範囲】
【請求項１】
マンホール１の周壁に透設された取付孔２内に可撓性を有する管継手４の一部を嵌入し、前記管継手４の内周面に沿い該管継手４と同心円状に管継手用取付けリング20を拡張することにより、前記管継手４の外周面と前記取付孔２の内面間の密封化を図る取付けリング拡張装置30であって、
前記取付けリング拡張装置30が、ビーム部31、該ビーム部31の長手方向に沿い第１枢軸40及び第２枢軸41を介して夫々揺動自在に吊持された第１脚部33及び第２脚部34、前記ビーム部31の長手方向に沿い該ビーム部31の一方端部から第２枢軸41の軸芯に向け延在して前記第２脚部34を脚部滑動スパーンSLに沿いながら滑動させる滑動ねじ部32、前記第１脚部33の第１支軸42及び前記第２脚部34の第２支軸43間を通り前記滑動ねじ部32と平行に延在して前記第２脚部34を脚部揺動スパーンSWに沿いながら揺動拡張させる拡張ねじ部35、及び前記各第１及び第２脚部33,34 の各下方端部に配設した第１及び第２係止爪部33a,34a を具備して成ることを特徴とする取付けリング拡張装置30。
【請求項２】
マンホール１の周壁に透設された取付孔２内に可撓性を有する管継手４の一部を嵌入し、前記管継手４の内周面に沿い該管継手４と同心円状に管継手用取付けリング20を拡張することにより、前記管継手４の外周面と前記取付孔２の内面間の密封化を図る取付けリング拡張装置30であって、
前記管継手用取付けリング20が、フランジ部22をその円周端縁に沿って一体的に形成し、更にその両端末部の前記拡張に伴う係止を可能にするに足るフープ部オーバーラップ領域OLを有して環状に形成されたフープ部21から成り、更に、前記フープ部オーバーラップ領域OLにおける前記フープ部21の外周側端末部21b 及びその近傍が、前記フランジ部22を一部除去する一方、その内周面上に爪受部23b を具備し、更に、前記フープ部オーバーラップ領域OLにおける前記フープ部21が、その内周側端末部21a の近傍に爪受部23a を具備して成り、
前記取付けリング拡張装置30が、ビーム部31、該ビーム部31の長手方向に沿い第１枢軸40及び第２枢軸41を介して夫々揺動自在に吊持された第１脚部33及び第２脚部34、前記ビーム部31の長手方向に沿い該ビーム部31の一方端部から第２枢軸41の軸芯に向け延在して前記第２脚部34を脚部滑動スパーンSLに沿いながら滑動させる滑動ねじ部32、前記第１脚部33の第１支軸42及び前記第２脚部34の第２支軸43間を通り前記滑動ねじ部32と平行に延在して前記第２脚部34を脚部揺動スパーンSWに沿いながら揺動拡張させる拡張ねじ部35、及び前記各第１及び第２脚部33,34 の各下方端部に配設した第１及び第２係止爪部33a,34a を具備して成ることを特徴とする取付けリング拡張装置30。
【請求項３】
前記管継手用取付けリング20が、前記取付けリング拡張装置30によって前記内外周側端末部21a,21b 間に設定された取付けリング拡張スパーンEX内に楔片36を挿入して環状体に形成されることを特徴とする請求項１または２に記載の取付けリング拡張装置30。
【発明の詳細な説明】
【０００１】
【発明の属する技術分野】
本発明は、マンホールと接続管を接続する可撓性管継手に充分な水封性を付与する管継手用取付けリングを拡張する取付けリング拡張装置に関するものである。
【０００２】
【従来の技術】
通常、排水等の配管系中に点在するマンホールは、上下流側配管がコンクリート製の周壁に透設した取付孔に対し、地震等の外力が加えられても破損、漏水しないように可撓性を有するゴム製管継手を介して接続されている。
図４及び図５は、従来のマンホールと接続管の接続方法を示すものであり、図４は接続が完了した状態のマンホールと接続管の要部断面図、図５は可撓性管継手４の内周面を拡張するための管継手用取付けリング６の取付け後の状態を一部破断して示す正面図である。
【０００３】
従来の管継手用取付けリング６は、マンホール１の周壁に透設した取付孔２に可撓性を有するゴム製管継手４の一部を嵌入し、更に前記管継手４の内周面に沿い該管継手４と同心円状に拡張することにより、前記管継手４の外周面と前記取付孔２の内面間の密封化を図っていた。
一方、前記管継手４の反マンホール側端部は、別の取付けリング５によってその外周面が該管継手４の内部に挿入された接続管３を緊縛するように締め付けられて、マンホール１に対する配管接続が完了するものであった。
【０００４】
なお、フランジ部８をその円周端縁に沿って一体的に形成した略環状のフープ部７の両端末部間7a,7b は、ナット13を略中央に取り付けたねじ部12の両端部に各ボス部に一対の脚部14a,14b を螺合してなる取付けリング拡張装置11は、前記一対の脚部14a,14b の各下方端部を前記両端末部7a,7b 近傍に凹設した各脚受部9a,9b 内に挿入して、前記ナット13を回動させることにより前記一対の脚部14a,14b が互いに反対方向（矢印方向）に移動し、前記両端末部7a,7b 間に所望の拡張領域を付与し、しかる後、所定長さの楔片10を前記拡張領域内に嵌入して固定作業を完了させるものであった。
【０００５】
【発明が解決しようとする課題】
しかしながら、従来の管継手用取付けリング６及び、特に該取付けリング拡張装置11は、前記一対の脚部14a,14b の滑動々作だけで前記両端末部7a,7b 間を拡張させるので、その拡張機能は前記ねじ部12の有効長さによって決定されてしまい、従って種々の口径寸法の前記管継手４に対する適応範囲が狭い欠点が解消されていなかった。
【０００６】
本発明は、前述した従来技術の問題点を解消し、マンホール取付孔及び管継手の各種口径寸法あるいは同一寸法における製作上のバラツキに対し確実に対応し、取付け操作が容易な管継手用取付けリングの取付けリング拡張装置を提供することを目的とするものである。
【０００７】
【課題を解決するための手段】
本発明のかかる目的は、マンホールの周壁に透設された取付孔内に可撓性を有する管継手の一部を嵌入し、前記管継手の内周面に沿い該管継手と同心円状に管継手用取付けリングを拡張することにより、前記管継手の外周面と前記取付孔の内面間の密封化を図る取付けリング拡張装置であって、前記取付けリング拡張装置が、ビーム部、該ビーム部の長手方向に沿い第１枢軸及び第２枢軸を介して夫々揺動自在に吊持された第１脚部及び第２脚部、前記ビーム部の長手方向に沿い該ビーム部の一方端部から第２枢軸の軸芯に向け延在して前記第２脚部を脚部滑動スパーンに沿いながら滑動させる滑動ねじ部、前記第１脚部の第１支軸及び前記第２脚部の第２支軸間を通り前記滑動ねじ部と平行に延在して前記第２脚部を脚部揺動スパーンに沿いながら揺動拡張させる拡張ねじ部、及び前記各第１及び第２脚部の各下方端部に配設した第１及び第２係止爪部を具備して成ることを特徴とする取付けリング拡張装置によって達成される。
【０００８】
更に、本発明のかかる目的は、マンホールの周壁に透設された取付孔内に可撓性を有する管継手の一部を嵌入し、前記管継手の内周面に沿い該管継手と同心円状に管継手用取付けリングを拡張することにより、前記管継手の外周面と前記取付孔の内面間の密封化を図る取付けリング拡張装置であって、前記管継手用取付けリングが、フランジ部をその円周端縁に沿って一体的に形成し、更にその両端末部の前記拡張に伴う係止を可能にするに足るフープ部オーバーラップ領域を有して環状に形成されたフープ部から成り、更に、前記フープ部オーバーラップ領域における前記フープ部の外周側端末部及びその近傍が、前記フランジ部を一部除去する一方、その内周面上に爪受部を具備し、更に、前記フープ部オーバーラップ領域における前記フープ部が、その内周側端末部の近傍に爪受部を具備して成り、前記取付けリング拡張装置が、ビーム部、該ビーム部の長手方向に沿い第１枢軸及び第２枢軸を介して夫々揺動自在に吊持された第１脚部及び第２脚部、前記ビーム部の長手方向に沿い該ビーム部の一方端部から第２枢軸の軸芯に向け延在して前記第２脚部を脚部滑動スパーンに沿いながら滑動させる滑動ねじ部、前記第１脚部の第１支軸及び前記第２脚部の第２支軸間を通り前記滑動ねじ部と平行に延在して前記第２脚部を脚部揺動スパーンに沿いながら揺動拡張させる拡張ねじ部、及び前記各第１及び第２脚部の各下方端部に配設した第１及び第２係止爪部を具備して成ることを特徴とする取付けリング拡張装置によって達成される。
【０００９】
更に、本発明のかかる目的は、前記管継手用取付けリングが、前記取付けリング拡張装置によって前記内外周側端末部間に設定された取付けリング拡張スパーン内に楔片を挿入して環状体に形成されることを特徴とする取付けリング拡張装置によって達成される。
【００１０】
本発明の取付けリング拡張装置は、マンホールの周壁に透設された取付孔内に可撓性を有する管継手の一部を嵌入し、前記管継手の内周面に沿い該管継手と同心円状に管継手用取付けリングを拡張することにより、前記管継手の外周面と前記取付孔の内面間の密封化を図る取付けリング拡張装置であって、前記取付けリング拡張装置が、ビーム部、該ビーム部の長手方向に沿い第１枢軸及び第２枢軸を介して夫々揺動自在に吊持された第１脚部及び第２脚部、前記ビーム部の長手方向に沿い該ビーム部の一方端部から第２枢軸の軸芯に向け延在して前記第２脚部を脚部滑動スパーンに沿いながら滑動させる滑動ねじ部、前記第１脚部の第１支軸及び前記第２脚部の第２支軸間を通り前記滑動ねじ部と平行に延在して前記第２脚部を脚部揺動スパーンに沿いながら揺動拡張させる拡張ねじ部、及び前記各第１及び第２脚部の各下方端部に配設した第１及び第２係止爪部を具備して成るので、前記管継手用取付けリングに対し前記滑動ねじ部による滑動々作と前記拡張ねじ部による拡張動作の複合動作によって広範な取付けリング拡張スパーンが容易に得られる。
【００１１】
更に、本発明の取付けリング拡張装置は、マンホールの周壁に透設された取付孔内に可撓性を有する管継手の一部を嵌入し、前記管継手の内周面に沿い該管継手と同心円状に管継手用取付けリングを拡張することにより、前記管継手の外周面と前記取付孔の内面間の密封化を図る取付けリング拡張装置であって、前記管継手用取付けリングが、フランジ部をその円周端縁に沿って一体的に形成し、更にその両端末部の前記拡張に伴う係止を可能にするに足るフープ部オーバーラップ領域を有して環状に形成されたフープ部から成り、更に、前記フープ部オーバーラップ領域における前記フープ部の外周側端末部及びその近傍が、前記フランジ部を一部除去する一方、その内周面上に爪受部を具備し、更に、前記フープ部オーバーラップ領域における前記フープ部が、その内周側端末部の近傍に爪受部を具備して成り、前記取付けリング拡張装置が、ビーム部、該ビーム部の長手方向に沿い第１枢軸及び第２枢軸を介して夫々揺動自在に吊持された第１脚部及び第２脚部、前記ビーム部の長手方向に沿い該ビーム部の一方端部から第２枢軸の軸芯に向け延在して前記第２脚部を脚部滑動スパーンに沿いながら滑動させる滑動ねじ部、前記第１脚部の第１支軸及び前記第２脚部の第２支軸間を通り前記滑動ねじ部と平行に延在して前記第２脚部を脚部揺動スパーンに沿いながら揺動拡張させる拡張ねじ部、及び前記各第１及び第２脚部の各下方端部に配設した第１及び第２係止爪部を具備して成るので、前記滑動ねじ部による滑動々作と前記拡張ねじ部による拡張動作の複合動作によって種々の口径を有する前記管継手用取付けリングに極めて容易に且つ広範な取付けリング拡張スパーンを以て対応できる。
【００１２】
更に、本発明の取付けリング拡張装置は、前記管継手用取付けリングが、前記取付けリング拡張装置によって前記内外周側端末部間に設定された取付けリング拡張スパーン内に楔片を挿入して環状体に形成されので、前記管継手用取付けリングの拡張戻りが確実に阻止される。
【００１３】
【発明の実施の形態】
本発明の取付けリング拡張装置の一実施態様について、添付した図面に基づき以下に詳述する。なお、前述した従来の管継手用取付けリングと共通する部材については、同一の符号を用いて説明する。
図１は、本発明の管継手用取付けリング20の一部を破断し且つ取付け後の状態を示した正面図、図２は図１の取付けリング拡張装置の拡大正面図、図３は図２のA-A 線に沿って切断した断面図である。
【００１４】
本発明の取付けリング拡張装置30が対象とする管継手用取付けリング20も前述した従来の管継手用取付けリング６と同様に、マンホール１の周壁に透設された取付孔２内に可撓性を有する管継手４の一部を嵌入し、前記管継手４の内周面に沿い該管継手４と同心円状に拡張することにより、前記管継手４の外周面と前記取付孔２の内面間の密封化を図っている。
更に、前記管継手用取付けリング20は、フランジ部22をその円周端縁に沿って一体的に形成し、更にその両端末部の前記拡張に伴う係止を可能にするに足るフープ部オーバーラップ領域OLを有して環状に形成されたフープ部21から成り、更に、前記フープ部オーバーラップ領域OLにおける前記フープ部21の外周側端末部21b 及びその近傍が、前記フランジ部22を一部除去する一方、その内周面上に爪受部23b を具備し、更に、前記フープ部オーバーラップ領域OLにおける前記フープ部21が、その内周側端末部21a の近傍に爪受部23a を具備して成っている。
【００１５】
一方、前記取付けリング拡張装置30は、ビーム部31、該ビーム部31の長手方向に沿い第１枢軸40及び第２枢軸41を介して夫々揺動自在に吊持された第１脚部33及び第２脚部34、前記ビーム部31の長手方向に沿い該ビーム部31の一方端部から第２枢軸41の軸芯に向け延在して前記第２脚部34を脚部滑動スパーンSLに沿いながら滑動させる滑動ねじ部32、前記第１脚部33の第１支軸42及び前記第２脚部34の第２支軸43間を通り前記滑動ねじ部32と平行に延在して前記第２脚部34を脚部揺動スパーンSWに沿いながら揺動拡張させる拡張ねじ部35、及び前記各第１及び第２脚部33,34 の各下方端部に配設した第１及び第２係止爪部33a,34a を具備して成っている。
【００１６】
なお、前記第１脚部33は、前記ビーム部31に対し前記第１枢軸40を介して揺動自在に軸支され、前記第１枢軸40と一体化されているボス部44には前記滑動ねじ部32が到達していないので、機械的強度に余裕があれば前記ボス部44を割愛できる。
更に、前記拡張ねじ部35が貫通する前記第１脚部33のボス部47は、前記滑動ねじ部32が貫通する前記ビーム部31の一方端部に配設されたボス部46と同様に、雌ねじが刻設されず、抜け止め部材が付加されて単に前記滑動ねじ部32の回動を許容する構造になっている。
【００１７】
一方、前記第２脚部34は、前記ビーム部31に対し前記第２枢軸41を介して揺動自在に軸支され、且つ前記第２枢軸41と一体化されているボス部45には前記滑動ねじ部32と螺合する雌ねじが刻設されているので、前記滑動ねじ部32を前記拡張ねじ部35と略同調させて回動すると、前記ビーム部31の前後面に透設されたスリット49を遊嵌状態で貫通する前記第２枢軸41のステム部を介し前記前記第２脚部34が、前記脚部滑動スパーンSLに沿って滑動する。
更に、前記第２脚部34は、前記第２支軸43と一体化されているボス部48には前記拡張ねじ部35と螺合する雌ねじが刻設されているので、
前記拡張ねじ部35を前記滑動ねじ部32と略同調させて回動すると、前記脚部揺動スパーンSWに沿いながら揺動拡張する。
【００１８】
前記取付けリング拡張スパーンEXが殆ど前記フープ部オーバーラップ領域OLによって占められている状態の拡張前の前記管継手用取付けリング20に対し、前記各爪受部23a,23b に前記第１及び第２係止爪部33a,34a を当接させ、所望する脚部拡張スパーンEXに応じて前記滑動ねじ部32前記拡張ねじ部35を略同調させながら回動し、前記第２脚部34を最大脚部滑動スパーンSLmax 及び最大脚部揺動スパーンSWMAX の範囲内で拡張させて所定の前記脚部拡張スパーンEXを得た後、予め用意した楔片36を前記脚部拡張スパーンEX間に挿入して前記管継手用取付けリング20の拡張戻りを阻止し、その固定作業を完了させる一方、前述した従来のマンホールと接続管の接続方法と同様に、固定作業が完了した前記管継手用取付けリング20から前記取付けリング拡張装置30を取り外した後、前記管継手４の反マンホール側端部を前記別の取付けリング５によってその外周面が該管継手４の内部に挿入された接続管３を緊縛するように締め付けて、前記マンホール１に対する配管接続を完了させるものである。
【００１９】
【発明の効果】
以上、記述した本発明の取付けリング拡張装置30は、次に記すような新規な効果を奏するものである。即ち、本発明の取付けリング拡張装置30は、前記マンホール１の周壁に透設された前記取付孔２内に可撓性を有する前記管継手４の一部を嵌入し、前記管継手４の内周面に沿い該管継手４と同心円状に前記管継手用取付けリング20を拡張することにより、前記管継手４の外周面と前記取付孔２の内面間の密封化を図る前記取付けリング拡張装置30であって、前記取付けリング拡張装置30が、前記ビーム部31、該ビーム部31の長手方向に沿い前記第１枢軸40及び第２枢軸41を介して夫々揺動自在に吊持された前記第１脚部33及び第２脚部34、前記ビーム部31の長手方向に沿い該ビーム部31の一方端部から前記第２枢軸34の軸芯に向け延在して前記第２脚部34を前記脚部滑動スパーンSLに沿いながら滑動させる前記滑動ねじ部32、前記第１脚部33の第１支軸42及び前記第２脚部34の第２支軸43間を通り前記滑動ねじ部32と平行に延在して前記第２脚部34を前記脚部揺動スパーンSWに沿いながら揺動拡張させる前記拡張ねじ部35、及び前記各第１及び第２脚部33,34 の各下方端部に配設した前記第１及び第２係止爪部33a,34a を具備して成るので、前記管継手用取付けリング20に対し前記滑動ねじ部32による滑動々作と前記拡張ねじ部35による拡張動作の複合動作によって広範な前記取付けリング拡張スパーンEXを容易に得ることが可能になった。
【００２０】
更に、本発明の取付けリング拡張装置30は、前記マンホール１の周壁に透設された前記取付孔２内に可撓性を有する前記管継手４の一部を嵌入し、前記管継手４の内周面に沿い該管継手４と同心円状に前記管継手用取付けリング20を拡張することにより、前記管継手４の外周面と前記取付孔２の内面間の密封化を図る前記取付けリング拡張装置30であって、前記管継手用取付けリング20が、前記フランジ部22をその円周端縁に沿って一体的に形成し、更にその両端末部の前記拡張に伴う係止を可能にするに足る前記フープ部オーバーラップ領域OLを有して環状に形成された前記フープ部21から成り、更に、前記フープ部オーバーラップ領域OLにおける前記フープ部21の外周側端末部21b 及びその近傍が、前記フランジ部22を一部除去する一方、その内周面上に前記爪受部23b を具備し、更に、前記フープ部オーバーラップ領域OLにおける前記フープ部21が、その内周側端末部21a の近傍に前記爪受部23a を具備して成り、前記取付けリング拡張装置30が、前記ビーム部31、該ビーム部31の長手方向に沿い前記第１枢軸40及び第２枢軸41を介して夫々揺動自在に吊持された前記第１脚部33及び第２脚部34、前記ビーム部31の長手方向に沿い該ビーム部31の一方端部から前記第２枢軸34の軸芯に向け延在して前記第２脚部34を前記脚部滑動スパーンSLに沿いながら滑動させる前記滑動ねじ部32、前記第１脚部33の第１支軸42及び前記第２脚部34の第２支軸43間を通り前記滑動ねじ部32と平行に延在して前記第２脚部34を前記脚部揺動スパーンSWに沿いながら揺動拡張させる前記拡張ねじ部35、及び前記各第１及び第２脚部33,34 の各下方端部に配設した前記第１及び第２係止爪部33a,34a を具備して成るので、前記滑動ねじ部32による滑動々作と前記拡張ねじ部35による拡張動作の複合動作によって種々の口径を有する前記管継手用取付けリング20に極めて容易に且つ広範な前記取付けリング拡張スパーンEXを以て対応可能になった。
【００２１】
更に、本発明の取付けリング拡張装置30は、前記管継手用取付けリング20が、前記取付けリング拡張装置30によって前記内外周側端末部21a,21b 間に設定された前記取付けリング拡張スパーンEX内に前記楔片36を挿入して環状体に形成されるので、前記管継手用取付けリング20の拡張戻りを確実に阻止することが可能になった。
【図面の簡単な説明】
【図１】本発明の管継手用取付けリングの一部を破断し且つ取付け後の状態を示した正面図である。
【図２】図１の取付けリング拡張装置の拡大正面図である。
【図３】図２のA-A 線に沿って切断した断面図である。
【図４】従来のマンホールと接続管の接続が完了した状態のマンホールと接続管の要部断面図である。
【図５】可撓性管継手の内周面を拡張するための従来の管継手用取付けリングの取付け後の状態を一部破断して示す正面図である。
【符号の説明】
１    マンホール
２    取付孔
３    接続管
４    管継手
５    別の取付けリング
６    従来の管継手用取付けリング
７    フープ部
7a,7b 端末部
８    フランジ部
9a,9b 脚受部
10    楔片
11    従来の取付けリング拡張装置
12    ねじ部
13    ナット
14a,14b 脚部
20    本発明の管継手用取付けリング
21    フープ部
21a   内側端末部
21b   外側端末部
22    フランジ部
23a   爪受部
23b   爪受部
30    本発明の取付けリング拡張装置
31    ビーム部
32    滑動ねじ部
33    第１脚部
33a   第１係止爪部
34    第２脚部
34a   第２係止爪部
35    拡張ねじ部
36    楔片
40    第１枢軸
41    第２枢軸
42    第１支軸
43    第２支軸
44〜48ボス部
49    スリット部
SL    脚部滑動スパーン
SW    脚部揺動スパーン
EX    取付けリング拡張スパーン
OL    フープ部オーバーラップ領域
【図１】
0003698380.tif 000002
【図２】
0003698380.tif 000003
【図３】
0003698380.tif 000004
【図４】
0003698380.tif 000005
【図５】
0003698380.tif 000006